(57)【特許請求の範囲】
【請求項１】
外部からユニット内に引き込まれ、制御ボックスの端子台に接続される配線をユニット内に固定する空気調和機の配線固定装置おいて、
前記配線固定装置は、ユニット内に設けられているブラケットの一部を切り起こした配線固定部に設けられた一定径の貫通孔と、該貫通孔に嵌め込まれる筒状弾性部材とからなり、
前記筒状弾性部材は、前記配線が貫通される内周孔と、長さ方向にテーパー状の円錐形状とされた外周とを有し、その内外周間に所定角度の切欠きが設けられた構成とされ、
前記筒状弾性部材の前記内周孔に貫通された前記配線は、前記貫通孔と前記筒状弾性部材の円錐形状とされた外周との嵌合により締め付け固定されるとともに、前記配線に外部から引張り力が発生したとき、前記筒状弾性部材が引張り力に応じて弾性変形されることにより締め付け保持されることを特徴とする空気調和機の配線固定装置。
【請求項２】
外部からユニット内に引き込まれ、制御ボックスの端子台に接続される配線をユニット内に固定する空気調和機の配線固定装置おいて、
前記配線固定装置は、ユニット内に設けられているブラケットの一部を切り起こした配線固定部に設けられた一定径の貫通孔と、該貫通孔に嵌め込まれる筒状弾性部材とからなり、
前記筒状弾性部材は、前記配線が貫通される内周孔と、長さ方向に沿い前記配線の引き抜き方向に向って縮小するようにテーパー状とされた外周とを有し、その内外周間に所定角度の切欠きが設けられた構成とされ、
前記筒状弾性部材の前記内周孔に貫通された前記配線は、前記貫通孔と前記筒状弾性部材の前記テーパー状外周との嵌合により締め付け固定されるとともに、前記配線に外部から引張り力が発生したとき、前記筒状弾性部材が引張り力に応じて弾性変形されることにより締め付け保持されることを特徴とする空気調和機の配線固定装置。
【請求項３】
前記筒状弾性部材は、ゴム材により構成されていることを特徴とする請求項１または２に記載の空気調和機の配線固定装置。
【請求項４】
前記筒状弾性部材の前記切欠きは、切欠き角度が概ね２０ないし３０°とされていることを特徴とする請求項１ないし３のいずれかに記載の空気調和機の配線固定装置。
【請求項５】
前記筒状弾性部材には、前記外周に段階状に返しが設けられていることを特徴とする請求項１ないし４のいずれかに記載の空気調和機の配線固定装置。
【請求項６】
前記筒状弾性部材は、２分割され、連結部により繋がれた構成とされていることを特徴とする請求項１ないし５のいずれかに記載の空気調和機の配線固定装置。
【発明の詳細な説明】
【技術分野】
【０００１】
本発明は、外部からユニット内に引き込まれ、制御ボックスの端子台に接続される配線をユニット内において固定する空気調和機の配線固定装置に関するものである。
【背景技術】
【０００２】
空気調和機の室外機は、現地据え付け工事において、電力を取り入れるため、外部電源と電源ケーブルを介して接続される。この電源ケーブルは、一端が室外機の外板に設けられている配線孔からユニット内に引き込まれ、制御ボックスの端子台に接続されることにより、制御ボックスから室外機内の各機器へと給電されるように構成される。一方、電源ケーブルは、ユニット外部から外力によって引っ張られたとき、引き抜かれることがないように、ユニット内において固定されるのが通常である。
【０００３】
この電源ケーブルの固定に関しては、規格等により、配線が１００Ｎの力で引っ張られても接続部での変位が２ｍｍ以下であること、配線を固定するクランプは絶縁性を有すること、クランプは脱落し難い構造であること等が求められている。このような要求を満たすべく、従来から、ユニット内のブラケットに対し、例えばタイラップバンドを介して配線を締め付け固定するようにしたもの、あるいは特許文献１に示すように、一方側に浮き押さえ部を設け、他方側に上方に向って広がり、傾斜した部分にくさび面を形成し、このくさび面に鋭角的な溝を設けることにより、ＶＶＦケーブルを固定部に通してくさび面と溝に挟み込ませて固定するようにしたもの等が知られている。
【先行技術文献】
【特許文献】
【０００４】
【特許文献１】特開平４−２５４１２３号公報（図１−図３参照）
【発明の概要】
【発明が解決しようとする課題】
【０００５】
しかしながら、タイラップバンドを用いたものでは、バンドの締め付け力で外力を受ける構造のため、配線が動かないように固定できるか否かはバンドの締め付け力如何によるところ、線径により締め付け力にバラツキが生じることがあり、配線の固定が不十分となる場合があった。また、特許文献１に示されたものは、浮き押さえ部に対して配線を通す必要があるため作業がし難いうえ、くさび面が上方に向って広がっていることから、配線に対して引っ張り、弛みを繰り返されると、くさび面から浮上してクランプが解かれてしまう可能性があるという問題がある。
【０００６】
本発明は、このような事情に鑑みてなされたものであって、配線および固定部への取り付けが容易で、かつ外力による引っ張りに対して配線をしっかりと固定でき、しかも異なる線径の配線に対しても幅広く対応できる空気調和機の配線固定装置を提供することを目的とする。
【課題を解決するための手段】
【０００７】
上記した課題を解決するために、本発明の空気調和機の配線固定装置は、以下の手段を採用する。
すなわち、本発明にかかる空気調和機の配線固定装置は、外部からユニット内に引き込まれ、制御ボックスの端子台に接続される配線をユニット内に固定する空気調和機の配線固定装置おいて、前記配線固定装置は、ユニット内に設けられているブラケットの一部を切り起こした配線固定部に設けられた一定径の貫通孔と、該貫通孔に嵌め込まれる筒状弾性部材とからなり、前記筒状弾性部材は、前記配線が貫通される内周孔と、長さ方向にテーパー状の円錐形状とされた外周とを有し、その内外周間に所定角度の切欠きが設けられた構成とされ、前記筒状弾性部材の前記内周孔に貫通された前記配線は、前記貫通孔と前記筒状弾性部材の円錐形状とされた外周との嵌合により締め付け固定されるとともに、前記配線に外部から引張り力が発生したとき、前記筒状弾性部材が引張り力に応じて弾性変形されることにより締め付け保持されることを特徴とする。
【０００８】
本発明によれば、配線固定装置が、ユニット内に設けられているブラケットの一部を切り起こした配線固定部に設けられた一定径の貫通孔と、該貫通孔に嵌め込まれる筒状弾性部材とからなり、該筒状弾性部材が、配線が貫通される内周孔と、長さ方向にテーパー状の円錐形状とされた外周とを有し、その内外周間に所定角度の切欠きが設けられた構成とされ、筒状弾性部材の内周孔に貫通された配線が、一定径の貫通孔と筒状弾性部材の円錐形状とされた外周との嵌合により締め付け固定されるとともに、配線に外部から引張り力が発生したとき、筒状弾性部材が引張り力に応じて弾性変形されることにより締め付け保持されるようになっているため、配線が外力によって引っ張られたとき、テーパー状の円錐形状とされた外周を有する筒状弾性部材が一定径の貫通孔を介して全周方向から均等に締め付けられて弾性変形され、内周孔に貫通されている配線に対して全周から均等に摩擦力を発生させることができる。従って、配線を外力に抗して弛みが生じないようにしっかりとかつ確実に固定し、保持することができる。また、切欠きを介して筒状弾性部材の内周孔に配線を貫通させることができるため、配線を内周孔に貫通する作業を容易化することができる。更に、異なる線径の配線に対しても、切欠きを弾力的に開閉させて内周孔に配線を通すことができるとともに、テーパー状の円錐形状とされた外周を貫通穴に嵌合させることができるため、１種類の筒状弾性部材で異なる線径の配線に対し幅広く対応することができる。
【０００９】
さらに、本発明にかかる空気調和機の配線固定装置は、外部からユニット内に引き込まれ、制御ボックスの端子台に接続される配線をユニット内に固定する空気調和機の配線固定装置おいて、前記配線固定装置は、ユニット内に設けられているブラケットの一部を切り起こした配線固定部に設けられた一定径の貫通孔と、該貫通孔に嵌め込まれる筒状弾性部材とからなり、前記筒状弾性部材は、前記配線が貫通される内周孔と、長さ方向に沿い前記配線の引き抜き方向に向って縮小するようにテーパー状とされた外周とを有し、その内外周間に所定角度の切欠きが設けられた構成とされ、前記筒状弾性部材の前記内周孔に貫通された前記配線は、前記貫通孔と前記筒状弾性部材の前記テーパー状外周との嵌合により締め付け固定されるとともに、前記配線に外部から引張り力が発生したとき、前記筒状弾性部材が引張り力に応じて弾性変形されることにより締め付け保持されることを特徴とする。
【００１０】
本発明によれば、配線固定装置が、ユニット内に設けられているブラケットの一部を切り起こした配線固定部に設けられた一定径の貫通孔と、その貫通孔に嵌め込まれる筒状弾性部材とからなり、該筒状弾性部材が、配線が貫通される内周孔と、長さ方向に沿い配線の引き抜き方向に向って縮小するようにテーパー状とされた外周とを有し、その内外周間に所定角度の切欠きが設けられた構成とされ、筒状弾性部材の内周孔に貫通された配線が、一定径の貫通孔と筒状弾性部材のテーパー状外周との嵌合により締め付け固定されるとともに、配線に外部から引張り力が発生したとき、筒状弾性部材が引張り力に応じて弾性変形されることにより締め付け保持されるようになっているため、配線が外力によって引っ張られたとき、テーパー状の外周を有する筒状弾性部材が一定径の貫通孔を介して締め付けられて弾性変形され、内周孔に貫通されている配線に対して摩擦力を発生させることができる。従って、配線を外力に抗して弛みが生じないようにしっかりと固定し、保持することができる。また、切欠きを介して筒状弾性部材の内周孔に配線を貫通させることができるため、配線を内周孔に貫通する作業を容易化することができる。更に、異なる線径の配線に対しても、切欠きを弾力的に開閉させて内周孔に配線を通すことができるとともに、テーパー状の外周を貫通穴に嵌合させることができるため、１種類の筒状弾性部材で異なる線径の配線に対して幅広く対応することができる。
【００１１】
さらに、本発明の空気調和機の配線固定装置は、上述のいずれかの空気調和機の配線固定装置において、前記筒状弾性部材は、ゴム材により構成されていることを特徴とする。
【００１２】
本発明によれば、筒状弾性部材が、ゴム材により構成されているため、例えばネオプレンゴム（商品名）と称されているクロロプレンゴム等のゴム材を用いることにより、優れた摩擦力と弾性特性、耐候性を有する筒状弾性部材とすることができる。従って、長期にわたって劣化や弛みが生じないように、しっかりと配線を固定することができる。
【００１３】
さらに、本発明の空気調和機の配線固定装置は、上述のいずれかの空気調和機の配線固定装置において、前記筒状弾性部材の前記切欠きは、切欠き角度が概ね２０ないし３０°とされていることを特徴とする。
【００１４】
本発明によれば、筒状弾性部材の切欠きの切欠き角度が概ね２０ないし３０°とされているため、容量等に応じて線径が９〜１５ｍｍの範囲で変わる配線に対しても、切欠きを弾力的に開閉させることにより、内周孔の径が例えば１２ｍｍ程度とされている筒状弾性部材を配線周りに容易に装着することができる。従って、線径が異なる毎に個別に筒状弾性部材を準備する必要がなく、生産性を高め、低コスト化することができるとともに、筒状弾性部材に配線を貫通する作業を容易化することができる。
【００１５】
さらに、本発明の空気調和機の配線固定装置は、上述のいずれかの空気調和機の配線固定装置において、前記筒状弾性部材には、前記外周に段階状に返しが設けられていることを特徴とする。
【００１６】
本発明によれば、筒状弾性部材の外周に段階状に返しが設けられているため、配線固定部の貫通孔に嵌め込まれた筒状弾性部材の反嵌め込み方向への弛みを、返しによって阻止することができる。従って、筒状弾性部材の弛みを防止し、配線を外力に抗して安定的に固定することができる。
【００１７】
さらに、本発明の空気調和機の配線固定装置は、上述のいずれかの空気調和機の配線固定装置において、前記筒状弾性部材は、２分割され、連結部により繋がれた構成とされていることを特徴とする。
【００１８】
本発明によれば、筒状弾性部材が、２分割され、連結部により繋がれた構成とされているため、２分割されている筒状弾性部材で配線を挟み込むことにより、配線周りに簡単に筒状弾性部材を装着することができ、それを貫通孔に嵌め込むことにより配線を固定することができる。従って、配線の固定作業を更に容易化することができるとともに、２分割された筒状弾性部材が互いに連結部で繋がれているため、部品がバラバラになって組み立て性が悪化したり、紛失したりするおそれがなく、一体の筒状弾性部材と同様に扱いことができる。
【発明の効果】
【００１９】
本発明によると、配線が外力によって引っ張られたとき、円錐形状もしくはテーパー状の外周を有する筒状弾性部材が一定径の貫通孔を介して締め付けられて弾性変形され、内周孔に貫通されている配線に対して摩擦力を発生させることができるため、配線を外力に抗して弛みが生じないように、しっかりとかつ確実に固定し、保持することができる。また、切欠きを介して筒状弾性部材の内周孔に配線を貫通させることができるため、配線を内周孔に貫通する作業を容易化することができる。更に、異なる線径の配線に対しても、切欠きを弾力的に開閉させて内周孔に配線を通すことができるとともに、円錐形状もしくはテーパー状の外周を貫通穴に嵌合させることができるため、１種類の筒状弾性部材で異なる線径の配線に対して幅広く対応することができる。
【図面の簡単な説明】
【００２０】
【図１】本発明の第１実施形態に係る空気調和機の配線固定装置のユニット内での配設構造を示すパネルの一部を取り外した状態の斜視図である。
【図２】図１に示す空気調和機の配線固定装置を拡大した分解斜視図である。
【図３】本発明の第２実施形態に係る空気調和機の配線固定装置の断面図である。
【図４】本発明の第３実施形態に係る空気調和機の配線固定装置に用いる筒状弾性部材の斜視図である。
【発明を実施するための形態】
【００２１】
以下に、本発明にかかる実施形態について、図面を参照して説明する。
［第１実施形態］
以下、本発明の第１実施形態について、図１および図２を用いて説明する。
図１には、本発明の第１実施形態に係る空気調和機の配線固定装置のユニット内での配設構造を示すパネルの一部を取り外した状態の斜視図が示され、図２には、その配線固定装置を拡大した分解斜視図が示されている。
空気調和機（ここでは、室外機１への適用例を示す）１は、縦長の直方体形状とされた筐体（ユニット）２を備えている。
【００２２】
この筐体（ユニット）２内には、室外機１の構成機器である圧縮機、四方切換弁、室外熱交換器、室外側膨張弁、室外側配管、操作弁、アキュームレータ、室外ファン３および制御ボックス４等々が収容設置されている。制御ボックス４は、筐体２内の上方部に配設されており、圧縮機、四方切換弁、室外側膨張弁、室外ファン３等を制御する制御機器が内蔵されている。この制御ボックス４の前面側には、端子台５が設けられており、外部電源に繋がれた電源ケーブル等の配線６が接続されるようになっている。
【００２３】
外部電源に繋がれている配線６は、筐体２の下方部に設けられているリッド７の配線孔８を介して筐体（ユニット）２内に引き込まれ、その端部が端子台５に接続されるようになっている。この配線６は、外部から一定の外力により引っ張られた場合においても抜けないように、端子台５の近傍において、配線固定装置９を介して筐体（ユニット）２内に固定されている。
【００２４】
配線固定装置９は、図２に示されるように、筐体２内に設けられているブラケット１０の一部を切り起こした配線固定部１１を備えており、この配線固定部１１に穿設されている貫通孔１２と、該貫通孔１２に嵌め込まれる筒状弾性部材１３とから構成されている。筒状弾性部材１３は、配線６が貫通される内周孔１４と、長さ方向にテーパー状の円錐形状とされた外周１５とを有する筒体であり、内外周間に円周上の一部を所定角度で切欠いた切欠き１６が設けられている。
【００２５】
この筒状弾性部材１３の内周孔１４は、この種空気調和機の室外機１おいて、その容量等に応じて線径が変えられる太さ９〜１５ｍｍ程度の配線６に対して、１種類の筒状弾性部材１３で対応できるように、内径がその中間の１２ｍｍ程度とされている。また、切欠き１６の切欠き角度θは、内周孔１４に切欠き１６を介して配線６を容易に貫通させることができるとともに、線径が９〜１５ｍｍ程度の配線６に対して、切欠き１６を弾力的に開閉させることにより筒状弾性部材１３を配線６の周りに装着できるように、概ね２０ないし３０°の範囲に設定されている。
【００２６】
また、筒状弾性部材１３は、配線６に対する優れた摩擦力と弾性特性および耐候性を有する構成とすべく、例えばネオプレンゴム（商品名）と称されているクロロプレンゴム等のゴム材によって構成されている。
【００２７】
以上に説明の構成により、本実施形態によれば、以下の作用効果を奏する。
室外機１の現地据え付け工事において、配線孔８より筐体（ユニット）２内に引き込まれた電源ケーブル等の配線６をユニット内において固定する際、まず配線固定部１１の貫通穴１２に通され、端子台５に接続されている配線６の外周に、切欠き１６を介して筒状弾性部材１３を押し込むことにより、内周孔１４に配線６を貫通させ、筒状弾性部材１３を配線６の周りに装着する。
【００２８】
次に、配線６が貫通された筒状弾性部材１３を小径端側から配線固定部１１の貫通穴１２に嵌め込み、テーパー状の外周１５を貫通穴１２に弾性変形させながら嵌合することによって、内周孔１４に貫通されている配線６を締め付け、その摩擦力で配線６を配線固定部１１にしっかりと固定することができる。このため、配線６が外力によって引っ張られた場合にも、テーパー状の外周１５を有する筒状弾性部材１３が貫通孔１２により締め付けられて弾性変形され、その内周孔１４に貫通されている配線６に対してしっかりと摩擦力を発生させることができる。
【００２９】
これにより、電源ケーブル等の配線６を外力に抗して弛みが生じないように、ユニット２内にしっかりと固定することができる。また、筒状弾性部材１３に設けられている切欠き１６を介して内周孔１４に配線６を容易に貫通させることができるため、配線６を内周孔１４に通す作業を容易化することができる。更に、異なる線径の配線６に対して、切欠き１６を弾力的に開閉させて内周孔１４に配線６を通すことができるとともに、テーパー状の外周１５を貫通穴１２に嵌合させることができるため、１種類の筒状弾性部材１３で異なる線径の配線６に対して幅広く対応することができる。
【００３０】
また、筒状弾性部材１３の外周１５を円錐形状としている。このため、外力によって配線６が引っ張られたとき、筒状弾性部材１３を貫通孔１２によって全周方向から均等に締め付けて弾性変形させることができる。これにより、配線６に対して全周から均等に摩擦力を付与することができ、従って、配線６を外力に抗して弛みが生じないように、しっかりとかつ確実に固定することができる。
【００３１】
また、筒状弾性部材１３に設けられている切欠き１６の切欠き角度θが概ね２０ないし３０°に設定されている。このため、容量等に応じて線径が９〜１５ｍｍの範囲で変わる配線６に対しても、切欠き１６を弾力的に開閉させることにより、内周孔１４の内径が例えば１２ｍｍ程度とされている筒状弾性部材１３を配線６の周りに容易に装着することができる。従って、線径が異なる毎に個別に筒状弾性部材１３を準備する必要がなく、生産性を高め、低コスト化することができるとともに、筒状弾性部材１３に配線６を貫通する作業を容易化することができる。
【００３２】
さらに、筒状弾性部材１３がゴム材により構成されているため、例えばネオプレンゴム（商品名）と称されているクロロプレンゴム等のゴム材を用いることにより、優れた摩擦力と弾性特性および耐候性を有する筒状弾性部材１３とすることができる。従って、長期にわたり劣化や弛みが生じないように、しっかりと配線６を固定することができる。
【００３３】
［第２実施形態］
次に、本発明の第２実施形態について、図３を用いて説明する。
本実施形態は、上記した第１実施形態に対して、筒状弾性部材１３の外周１５に返し１５Ａが設けられている点が異なる。その他の点については、第１実施形態と同様であるので説明は省略する。
本実施形態では、図３に示されるように、筒状弾性部材１３の外周１５に、貫通孔１２に嵌め込まれたとき、貫通孔１２の周縁に引っかかり、反嵌め込み方向への弛みを阻止する段階状の返し１５Ａを設けた構成とされている。
【００３４】
このように、筒状弾性部材１３の外周１５に段階状に返し１５Ａを設けた構成とすることにより、配線固定部１１の貫通孔１２に嵌め込まれた筒状弾性部材１３の反嵌め込み方向への弛みを、返し１５Ａによって阻止することができる。このため、筒状弾性部材１３の弛みを防止し、配線６を外力に抗して安定的に固定することができる。
【００３５】
［第３実施形態］
次に、本発明の第３実施形態について、図４を用いて説明する。
本実施形態は、上記した第１実施形態に対して、筒状弾性部材１３が２分割された構成とされている点が異なる。その他の点については、第１実施形態と同様であるので説明は省略する。
本実施形態では、図４に示されるように、筒状弾性部材１３を筒状弾性部材１３Ａと筒状弾性部材１３Ｂとに左右に２分割し、この筒状弾性部材１３Ａおよび筒状弾性部材１３Ｂを連結部１３Ｃにより繋いだ構成としている。
【００３６】
このように、筒状弾性部材１３を筒状弾性部材１３Ａおよび筒状弾性部材１３Ｂに左右に２分割し、それを連結部１３Ｃにより繋いだ構成とすることにより、２分割されている筒状弾性部材１３Ａ，１３Ｂで配線６を両側から挟み込んで配線６の周りに簡単に筒状弾性部材１３Ａ，１３Ｂを装着することができる。そして、この筒状弾性部材１３Ａ，１３Ｂを貫通孔１２に嵌め込むことによって配線６を固定することができる。
【００３７】
このため、配線６の固定作業を更に容易化することができるとともに、２分割された筒状弾性部材１３Ａ，１３Ｂが互いに連結部１３Ｃで繋がれていることから、部品がバラバラになって組み立て性が悪化したり、紛失したりするおそれがなく、一体の筒状弾性部材１３と同等に取り扱うことができる。
【００３８】
なお、本発明は、上記実施形態にかかる発明に限定されるものではなく、その要旨を逸脱しない範囲において、適宜変形が可能である。例えば、上記実施形態では、筒状弾性部材１３の外周が円錐形状とされている例について説明したが、これに限定されるものではなく、四角錐形状等の多角錐形状としてもよいことはもちろんである。また、筒状弾性部材１３の配線６が貫通される内周孔の内周面に、配線６をしっかりとグリップできるように返しを設けた構成としてもよい。
【００３９】
さらに、上記実施形態では、本発明を室外機１の配線固定装置９に適用した例について説明したが、室外機１の配線固定装置９に限定されるものではなく、空気調和機の室内機において、ユニット内に引き込まれた配線を固定する必要がある場合には、同様に適用できることはもちろんである。また、筒状弾性部材１３の長さについては、特に制約されるものではないが、適切な摩擦力が得られる長さに設定されることは云うまでもない。
【符号の説明】
【００４０】
１  空気調和機（室外機）
２  筐体（ユニット）
４  制御ボックス
５  端子台
６  配線
９  配線固定装置
１１  配線固定部
１２  貫通孔
１３  筒状弾性部材
１３Ａ，１３Ｂ  ２分割された筒状弾性部材
１３Ｃ  連結部
１４  内周孔
１５  外周
１５Ａ  返し
１６  切欠き
θ  切欠き角度
【図１】
0005851675.tif 000002
【図２】
0005851675.tif 000003
【図３】
0005851675.tif 000004
【図４】
0005851675.tif 000005